(57)【要約】【課題】画質を向上することができる表示装置を得る。【解決手段】第１の水平画素幅を有する第１系列の画素（サブ画素２１Ｒ，２１Ｇ，２１Ｂ）と、第１の水平画素幅よりも狭い第２の水平画素幅を有する第２系列の画素（サブ画素２２Ｒ，２２Ｇ，２２Ｂ）とを、水平方向および垂直方向のそれぞれにおいて交互に配列してなる表示部と、表示部からの光線または表示部に向かう光線に対して制御を行う光線制御部とを備える。【選択図】図４
2015084110.tif 000002
【特許請求の範囲】
【請求項１】
第１系列の画素と、前記第１系列の画素とは異なる第２系列の画素とを、水平方向または垂直方向において交互に配列してなる表示部と、
前記表示部からの光線または前記表示部に向かう光線に対して制御を行う光線制御部と
を備え、
前記光線制御部は、光を透過または遮断する複数の開閉部を有するバリア部であり、
第１の表示モードおよび第２の表示モードを含む複数の表示モードを有し、
前記第１の表示モードでは、前記開閉部が開口して光を透過し、前記第１系列の画素および前記第２系列の画素が単一の画像を表示し、
前記第２の表示モードでは、少なくとも一部の前記開閉部が開口して光を遮断し、前記第１系列の画素が複数の視点に対応するための画像を表示し、前記第２系列の画素が黒色または灰色を表示する
表示装置。
【請求項２】
前記バリア部は、前記開閉部の開口位置がそれぞれ規定された２以上の開口グループにグループ分けされており、前記第２表示モードにおいて、所定の間隔でそれぞれの開口グループにグループ分けされた開口位置が開口され光が透過する位置を切り替えることができる
請求項１に記載の表示装置。
【請求項３】
前記第１系列の画素は、それぞれ、該第１系列の画素の水平方向の幅に対応する間隔をあけて配置される請求項１または２に記載の表示装置。
【請求項４】
前記光線制御部は、
前記第１の表示モードでは、前記単一の画像からの光線または前記単一の画像に向かう光線をそのまま透過させるように動作し、
前記第２の表示モードでは、前記表示部に表示された各画像からの光線または各画像に向かう光線を、それぞれ対応する角度方向に規制するように動作する
請求項１に記載の表示装置。
【請求項５】
前記バリア部は、開状態と閉状態とを切り換え可能な、複数の第１系列の液晶バリアおよび複数の第２系列の液晶バリアを有する
請求項１に記載の表示装置。
【請求項６】
前記第１の表示モードでは、前記複数の第１系列の液晶バリアおよび前記複数の第２系列の液晶バリアが透過状態になり、
前記第２の表示モードでは、前記複数の第１系列の液晶バリアが透過状態になるとともに、前記複数の第２系列の液晶バリアが遮断状態になる
請求項５に記載の表示装置。
【請求項７】
前記複数の第１系列の液晶バリアおよび前記複数の第２系列の液晶バリアは、所定の方向に延伸している
請求項６に記載の表示装置。
【請求項８】
前記第１系列の液晶バリアの幅は、前記第１の水平画素幅よりも狭い
請求項７に記載の表示装置。
【発明の詳細な説明】
【技術分野】
【０００１】
本開示は、映像を表示する表示装置に関する。
【背景技術】
【０００２】
近年、立体視表示を実現できる表示装置が注目を集めている。立体視表示は、互いに視差のある（視点の異なる）視点映像を表示するものであり、観察者が左右の目でそれぞれ異なる視点映像を見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置としては、例えば、パララックスバリア（視差バリア）方式や、レンチキュラーレンズ方式などがある。これらの方式では、複数の視点映像を同時に表示し、観察者が左右の目で観察する際の観察角度によって見える映像が異なるようになっている。例えば、特許文献１には、バリアとして液晶素子を用いた、パララックスバリア方式の表示装置が開示されている。
【０００４】
これらの方式の表示装置に関して、画質の向上を図るための様々な手法が開示されている。例えば、特許文献２には、表示部の画素配列とレンズまたはバリアとの相対的な位置関係に起因するモアレを低減することができる表示装置が開示されている。また、例えば、特許文献３には、開口率を高くすることができる表示装置が開示されている。また、例えば、特許文献４には、連続した視差を有する表示を行うことができる表示装置が開示されている。
【先行技術文献】
【特許文献】
【０００５】
【特許文献１】特開平３−１１９８８９号公報
【特許文献２】特開２００８−２４９８８７号公報
【特許文献３】特開平１０−１８６２９４号公報
【特許文献４】特開平７−００５４２０号公報
【発明の概要】
【発明が解決しようとする課題】
【０００６】
表示装置では、さらなる画質の向上が望まれている。例えば、立体視表示を行うことができる表示装置では、左眼画像と右眼画像とが混ざり合う、いわゆるクロストークを低減することが望まれている。また、立体視表示に加え、通常の２次元表示も行うことができるように表示装置を構成する場合には、２次元表示の際の画質の向上も望まれている。
【０００７】
本開示はかかる問題点に鑑みてなされたもので、その目的は、画質を向上することができる表示装置、表示パネル、および電子機器を提供することにある。
【課題を解決するための手段】
【０００８】
本開示の表示装置は、表示部と、光線制御部とを備えている。表示部は、第１の水平画素幅を有する第１系列の画素と、第１の水平画素幅よりも狭い第２の水平画素幅を有する第２系列の画素とを、水平方向および垂直方向のそれぞれにおいて交互に配列してなるものである。光線制御部は、表示部からの光線または表示部に向かう光線に対して制御を行うものである。
【０００９】
本開示の表示パネルは、第１系列の画素と、第２系列の画素とを備えている。第１系列の画素は、第１の水平画素幅を有するものである。第２系列の画素は、第１の水平画素幅よりも狭い第２の水平画素幅を有するものである。第１系列の画素および第２系列の画素は、水平方向および垂直方向のそれぞれにおいて交互に配列されている。
【００１０】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１１】
本開示の表示装置、表示パネル、および電子機器では、光が光線制御部を透過することにより、表示部に表示された画像が観察者に視認される。その際、表示部では、水平方向および垂直方向に交互に配置された、互いに異なる水平画素幅を有する第１系列の画素、および第２系列の画素の両方において、表示が行われる。
【発明の効果】
【００１２】
本開示の表示装置、表示パネル、および電子機器によれば、第１系列の画素および第２系列の画素を、水平方向および垂直方向のそれぞれにおいて交互に配列したので、画質を向上することができる。
【図面の簡単な説明】
【００１３】
【図１】本開示の実施の形態に係る立体表示装置の一構成例を表すブロック図である。
【図２】図１に示した表示駆動部の一構成例を表すブロック図である。
【図３】図１に示した表示部の一構成例を表す回路図および断面図である。
【図４】図１に示した表示部の一構成例を表す平面図である。
【図５】図４に示したサブ画素の詳細な配置を表す説明図である。
【図６】図１に示したバリア部の一構成例を表す平面図および断面図である。
【図７】図１に示した表示部とバリア部との関係を表す説明図である。
【図８】図１に示した表示部とバリア部との関係を表す模式図である。
【図９】図１に示した立体表示装置の一動作例を表す模式図である。
【図１０】図１に示した立体表示装置の特性を説明するための説明図である。
【図１１】図１に示した立体表示装置における輝度分布の一例を表す模式図である。
【図１２】図１に示した立体表示装置における輝度分布の他の例を表す模式図である。
【図１３】比較例に係る表示部の一構成例を表す平面図である。
【図１４】比較例に係る立体表示装置の特性を説明するための説明図である。
【図１５】比較例に係る立体表示装置における輝度分布の一例を表す模式図である。
【図１６】比較例に係る立体表示装置における輝度分布の他の例を表す模式図である。
【図１７】変形例に係る表示部の一構成例を表す平面図である。
【図１８】立体表示装置の一特性を説明するための説明図である。
【図１９】他の変形例に係るバリア部の一構成例を表す平面図である。
【図２０】他の変形例に係る表示部とバリア部との関係を表す説明図である。
【図２１】他の変形例に係る表示部の一構成例を表す平面図である。
【図２２】他の変形例に係る表示部とバリア部との関係を表す説明図である。
【図２３】他の変形例に係るバリア部の一構成例を表す平面図である。
【図２４】他の変形例に係る表示部とバリア部との関係を表す模式図である。
【図２５】他の変形例に係る立体表示装置の一構成例を表すブロック図である。
【図２６】他の変形例に係る立体表示装置の一動作例を表す模式図である。
【図２７】他の変形例に係る表示部の一構成例を表す平面図である。
【図２８】他の変形例に係る表示部の他の構成例を表す平面図である。
【図２９】他の変形例に係る表示部の他の構成例を表す平面図である。
【図３０】他の変形例に係る表示部とバリア部との関係を表す説明図である。
【図３１】実施の形態に係る立体表示装置を適用したテレビジョン装置の外観構成を表す斜視図である。
【発明を実施するための形態】
【００１４】
以下、本開示の実施の形態について、図面を参照して詳細に説明する。なお、説明は以下の順序で行う。
１．実施の形態
２．適用例
【００１５】
＜１．実施の形態＞
［構成例］
（全体構成例）
図１は、実施の形態に係る立体表示装置の一構成例を表すものである。立体表示装置１は、パララックスバリア方式の立体表示装置である。なお、本開示の実施の形態に係る表示パネルは、本実施の形態により具現化されるので、併せて説明する。
【００１６】
立体表示装置１は、制御部４１と、バックライト駆動部４２と、バックライト３０と、表示駆動部５０と、表示部２０と、バリア駆動部４３と、バリア部１０とを備えている。
【００１７】
制御部４１は、外部より供給される映像信号Ｓdispに基づいて、バックライト駆動部４２、表示駆動部５０、およびバリア駆動部４３を制御する回路である。具体的には、制御部４１は、バックライト駆動部４２に対してバックライト制御信号を供給し、表示駆動部５０に対して映像信号Ｓdispに基づいて生成した映像信号Ｓdisp2を供給し、バリア駆動部４３に対してバリア制御信号を供給するようになっている。この映像信号Ｓdisp2は、立体表示装置１が通常表示（２次元表示）を行う場合には、１つの視点映像を含む映像信号Ｓ２Ｄであり、立体表示装置１が立体視表示を行う場合には、後述するように、複数（この例では４つ）の視点映像を含む映像信号Ｓ３Ｄである。
【００１８】
バックライト駆動部４２は、制御部４１から供給されるバックライト制御信号に基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１９】
表示駆動部５０は、制御部４１から供給される映像信号Ｓdisp2に基づいて表示部２０を駆動するものである。表示部２０は、この例では液晶表示部であり、液晶表示素子を駆動して、バックライト３０から射出した光を変調することにより表示を行うようになっている。
【００２０】
バリア駆動部４３は、制御部４１から供給されるバリア制御信号に基づいて、バリア部１０を駆動するものである。バリア部１０は、バックライト３０から射出し表示部２０を透過した光を透過（開動作）または遮断（閉動作）するものであり、液晶を用いて構成された複数の開閉部１１，１２（後述）を有している。
【００２１】
図１に示すように、立体表示装置１では、バックライト３０、表示部２０、およびバリア部１０は、この順に配置されている。つまり、バックライト３０から射出した光は、表示部２０およびバリア部１０を介して、観察者に届くようになっている。
【００２２】
（表示駆動部５０および表示部２０）
図２は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４１から供給された映像信号Ｓdisp2に基づいて映像信号Ｓdisp3を生成し、データドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓdisp3に基づく画素信号を供給するものである。具体的には、データドライバ５３は、映像信号Ｓdisp3に基づいてＤ／Ａ（デジタル／アナログ）変換を行うことにより、アナログ信号である画素信号を生成し、各画素Ｐixへ供給するようになっている。
【００２３】
図３は、表示部２０の一構成例を表すものであり、（Ａ）は画素Ｐixを構成するサブ画素ＳＰixの回路図の一例を示し、（Ｂ）は表示部２０の断面構成を示す。
【００２４】
画素Ｐixは、赤色（Ｒ）、緑色（Ｇ）、青色（Ｂ）にそれぞれ対応する３つのサブ画素ＳＰixを有している。各サブ画素ＳＰixは、図３（Ａ）に示したように、ＴＦＴ（Thin Film Transistor）素子Ｔｒと、液晶素子ＬＣと、保持容量素子Ｃｓを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬはゲートドライバ５２に接続され、データ線ＳＧＬはデータドライバ５３に接続されている。
【００２５】
表示部２０は、図３（Ｂ）に示したように、駆動基板２０７と対向基板２０８との間に、液晶層２０３を封止したものである。駆動基板２０７は、透明基板２０１と、画素電極２０２と、偏光板２０６ａとを有している。透明基板２０１は、例えばガラス等から構成されるものであり、ＴＦＴ素子Ｔｒが形成されたものである。この透明基板２０１上には、サブ画素ＳＰix毎に画素電極２０２が配設されている。そして、透明基板２０１の、画素電極２０２が配設された面とは反対の面には、偏光板２０６ａが貼り付けられている。対向基板２０８は、透明基板２０５と、対向電極２０４と、偏光板２０６ｂとを有している。透明基板２０５は、例えばガラス等から構成されるものである。透明基板２０５の液晶層２０３側の面には、図示しないカラーフィルタやブラックマトリクスが形成され、さらにその上には、対向電極２０４が各サブ画素ＳＰixに共通の電極として配設されている。透明基板２０５の、対向電極２０４が配設された面とは反対の面には、偏光板２０６ｂが貼り付けられている。偏光板２０６ａおよび偏光板２０６ｂは、互いにクロスニコルまたはパラレルニコルとなるように貼り合わせられている。
【００２６】
図４は、表示部２０におけるサブ画素ＳＰixの配列を表すものである。図４において、“Ｒ”は赤色のサブ画素ＳＰixを示し、“Ｇ”は緑色のサブ画素ＳＰixを示し、“Ｂ”は青色のサブ画素ＳＰixを示す。
【００２７】
表示部２０は、垂直方向Ｙに延伸するとともに、表示画面の水平方向Ｘの方向において互いに幅が異なる２種類のサブ画素ＳＰix（２１，２２）を有している。具体的には、表示部２０は、水平方向Ｘに広い幅Ｗ２１を有するサブ画素２１（２１Ｒ，２１Ｇ，２１Ｂ）と、水平方向Ｘに狭い幅Ｗ２２を有するサブ画素２２（２２Ｒ，２２Ｇ，２２Ｂ）を有している。サブ画素２１およびサブ画素２２は、水平方向Ｘにおいて交互に配置されている。具体的には、この例では、水平方向Ｘにおいて、サブ画素２１Ｒ，２２Ｂ，２１Ｇ，２２Ｒ，２１Ｂ，２２Ｇが、この順で繰り返し配置されている。また、サブ画素２１およびサブ画素２２は、表示画面の垂直方向Ｙにおいても、交互に配置されている。その際、垂直方向Ｙに互いに隣接するサブ画素２１およびサブ画素２２の水平方向Ｘにおける中心座標は、互いに一致するようになっている。隣接するサブ画素２１，２２の境界部分には、ブラックマトリックス（図示せず）が形成され、これにより、赤色（Ｒ）、緑色（Ｇ）、青色（Ｂ）の混色がおこりにくくなっている。
【００２８】
図５は、表示部２０におけるサブ画素２１の配置をより詳細に表すものである。表示部２０では、水平方向Ｘに隣り合うサブ画素２１の間隔Ｓ２１は、サブ画素２１自体の幅Ｗ２１と等しくなっている。これにより、例えば、あるサブ画素２１の右辺（例えば右辺ＳＲ１）の水平方向Ｘの座標は、その右上に隣接して配置されたサブ画素２１の左辺（例えば左辺ＳＬ２）の水平方向Ｘの座標と等しく、例えば、あるサブ画素２１の左辺（例えば左辺ＳＬ１）の水平方向Ｘの座標は、その左上に隣接して配置されたサブ画素２１の右辺（右辺ＳＲ２）の水平方向Ｘの座標と等しくなっている。
【００２９】
この構成により、立体表示装置１では、後述するように、立体視表示を行う場合には、サブ画素２１が４つの視点映像を表示するとともに、サブ画素２２が黒色を表示する。また、通常表示（２次元表示）を行う場合には、サブ画素２１およびサブ画素２２の両方が２次元映像を表示する。これにより、立体表示装置１では、後述するように、立体視表示を行う場合には、モアレおよびクロストークを低減することにより画質の向上を図ることができるとともに、通常表示を行う場合には、輝度を高めることにより、画質の向上を図ることができるようになっている。
【００３０】
（バリア部１０）
図６は、バリア部１０の一構成例を表すものであり、（Ａ）はバリア部１０の平面図を示し、（Ｂ）は（Ａ）のバリア部１０のＶＩ−ＶＩ矢視方向の断面構成を示す。
【００３１】
バリア部１０は、いわゆるパララックスバリアであり、図６（Ａ）に示したように、光を透過または遮断する複数の開閉部（液晶バリア）１１，１２を有している。開閉部１１，１２は、この例では垂直方向Ｙに延在して設けられている。この例では、開閉部１１の幅Ｗ１１と、開閉部１２の幅Ｗ１２とは、互いに異なっており、ここでは例えばＷ１１＞Ｗ１２となっている。但し、開閉部１１，１２の幅の大小関係はこれに限定されず、Ｗ１１＜Ｗ１２であってもよく、また、Ｗ１１＝Ｗ１２であってもよい。
【００３２】
バリア部１０は、図６（Ｂ）に示したように、駆動基板１０７と対向基板１０８との間に、液晶層１０３を封止したものである。駆動基板１０７は、透明基板１０１と、透明電極層１０２と、偏光板１０６ａとを有している。透明基板１０１は、例えばガラス等から構成されるものであり、その上には、透明電極層１０２が形成されている。また、透明基板１０１の、透明電極層１０２が配設された面とは反対の面には、偏光板１０６ａが貼り付けられている。対向基板１０８は、透明基板１０５と、透明電極層１０４と、偏光板１０６ｂとを有している。透明基板１０５は、例えばガラス等から構成されるものであり、その上には、透明電極層１０４が形成されている。透明基板１０５の、透明電極層１０４が配設された面とは反対の面には、偏光板１０６ｂが張り付けられている。偏光板１０６ａおよび偏光板１０６ｂは、互いにクロスニコルまたはパラレルニコルとなるように貼り合わせられている。
【００３３】
透明電極層１０２は、複数の透明電極１１０，１２０を有している。また、透明電極層１０４は、複数の透明電極１１０，１２０に対応する位置にわたって、いわゆる共通電極として設けられるものである。透明電極１１０と、液晶層１０３および透明電極層１０４におけるその透明電極１１０に対応する部分とは、開閉部１１を構成している。同様に、透明電極１２０と、液晶層１０３および透明電極層１０４におけるその透明電極１２０に対応する部分とは、開閉部１２を構成している。このような構成により、バリア部１０では、透明電極１１０または透明電極１２０に電圧を選択的に印加することにより、液晶層１０３がその電圧に応じた液晶配向になり、開閉部１１，１２毎の開閉動作を行うことができるようになっている。
【００３４】
これらの開閉部１１，１２は、立体表示装置１が通常表示（２次元表示）および立体視表示のどちらを行うかにより、異なる動作を行う。具体的には、開閉部１１は、後述するように、通常表示の際には開状態（透過状態）になり、立体視表示を行う際には、閉状態（遮断状態）となるものである。開閉部１２は、後述するように、通常表示および立体視表示の両方において、開状態（透過状態）になるものである。
【００３５】
図７は、表示部２０におけるサブ画素２１と、バリア部１０における開閉部１１，１２との相対的な位置関係を表すものである。なお、この図では、表示部２０におけるサブ画素２２の図示を省略している。すなわち、この図では、立体視表示の際に黒色を表示するサブ画素２２の図示を省略している。開閉部１２は、水平方向Ｘにおいて、隣接する２行内の４つのサブ画素２１（サブ画素グループＰＧ）に１つの割合で設けられている。これは、立体表示装置１が、立体視表示を行う際、４つの視点映像を表示することと対応している。
【００３６】
図８は、立体視表示および通常表示（２次元表示）を行う場合のバリア部１０の状態を、断面構造を用いて模式的に表すものであり、（Ａ）は立体視表示を行う状態を示し、（Ｂ）は通常表示を行う状態を示す。図８において、斜線で示した開閉部１１は、光が遮断されている状態を示している。
【００３７】
立体視表示を行う場合には、表示駆動部５０に映像信号Ｓ３Ｄが供給され、表示部２０はそれに基づいて表示を行う。具体的には、図８（Ａ）に示したように、バリア部１０では、開閉部１２が開状態（透過状態）になるとともに、開閉部１１が閉状態（遮断状態）になる。そして、表示部２０では、この開閉部１２に対応した位置に配置された互いに隣接する４つのサブ画素２１（サブ画素グループＰＧ）が、４つの視点映像のそれぞれに対応するサブ画素情報Ｐ１〜Ｐ４を表示するとともに、全てのサブ画素２２（図示せず）は黒表示を行う。これにより、観察者は、後述するように、左眼と右眼とで互いに異なる視点映像を観察することにより、立体的な映像を見ることができる。
【００３８】
また、通常表示（２次元表示）を行う場合には、表示駆動部５０に映像信号Ｓ２Ｄが供給され、表示部２０はそれに基づいて表示を行う。具体的には、図８（Ｂ）に示したように、バリア部１０では、開閉部１１，１２がともに開状態（透過状態）になり、表示部２０では、全てのサブ画素２１，２２が、１つの視点映像（２次元映像）を表示する。これにより、観察者は、表示部２０に表示された通常の２次元映像をそのまま見ることができる。
【００３９】
ここで、サブ画素２１（２１Ｒ，２１Ｇ，２１Ｂ）は、本開示における「第１系列の画素」の一具体例に対応し、サブ画素２２（２２Ｒ，２２Ｇ，２２Ｂ）は、本開示における「第２系列の画素」の一具体例に対応する。開閉部１２は、本開示における「第１系列の液晶バリア」の一具体例に対応し、開閉部１１は、本開示における「第２系列の液晶バリア」の一具体例に対応する。
【００４０】
［動作および作用］
続いて、本実施の形態の立体表示装置１の動作および作用について説明する。
【００４１】
（全体動作概要）
まず、図１を参照して、立体表示装置１の全体動作概要を説明する。制御部４１は、外部より供給される映像信号Ｓdispに基づいて、バックライト駆動部４２、表示駆動部５０、およびバリア駆動部４３を制御する。バックライト駆動部４２は、制御部４１から供給されるバックライト制御信号に基づいてバックライト３０を駆動する。バックライト３０は、面発光した光を表示部２０に対して射出する。表示駆動部５０は、制御部４１から供給される映像信号Ｓdisp2に基づいて表示部２０を駆動する。表示部２０は、バックライト３０から射出した光を変調することにより表示を行う。具体的には、立体視表示の際には、表示部２０のサブ画素２１が４つの視点映像に係る画素情報を表示するとともに、サブ画素２２は黒表示を行う。また、通常表示（２次元表示）の際には、サブ画素２１，２２が１つの視点映像（２次元映像）に係る画素情報を表示する。バリア駆動部４３は、制御部４１から供給されるバリア制御信号に基づいてバリア部１０を制御する。バリア部１０の開閉部１１，１２は、バリア駆動部４３からの指示に基づいて開閉動作を行い、バックライト３０から射出し表示部２０を透過した光を透過または遮断する。
【００４２】
（立体視表示の詳細動作）
次に、立体視表示を行う場合の詳細動作を説明する。
【００４３】
図９は、表示部２０およびバリア部１０における立体視表示の動作例を表すものである。立体視表示を行う場合には、バリア部１０では、開閉部１２が開状態（透過状態）になるとともに、開閉部１１が閉状態（遮断状態）になる。そして、表示部２０は、映像信号Ｓ３Ｄの画素情報を表示する。このとき、図９に示したように、開閉部１２付近に配置された４つのサブ画素２１（サブ画素グループＰＧ）が、４つの視点映像に対応する画素情報Ｐ１〜Ｐ４をそれぞれ表示する。表示部２０の各サブ画素２１から出た光は、開閉部１２によりそれぞれ角度が制限されて出力される。これにより、観察者は、例えば左眼で画素情報Ｐ２を、右眼で画素情報Ｐ３を見ることとなる。このように、観察者が、左眼と右眼とで、画素情報Ｐ１〜Ｐ４のうちの異なる画素情報を見るため、観察者は表示映像を立体的な映像として感じることができる。
【００４４】
（画質について）
次に、立体表示装置１の画質について説明する。まず、立体視表示の際の画質について説明し、その後に通常表示の際の画質について説明する。
【００４５】
まず、立体視表示におけるモアレとクロストークについて説明する。
【００４６】
図１０（Ａ）〜（Ｃ）は、表示部２０におけるサブ画素２１と、バリア部１０における開閉部１２との相対的な位置関係を表すものである。なお、この図では、開閉部１１およびサブ画素２２の図示を省略している。すなわち、この図では、立体視表示の際に開状態となる開閉部１２と、画像を表示するサブ画素２１を図示しており、立体視表示の際に閉状態となる開閉部１１と、黒色を表示するサブ画素２２の図示を省略している。図１０（Ａ）〜（Ｃ）に示した位置関係は、例えば、観察者が表示画面を観察する際の観察角度によって生じるものである。具体的には、例えば、観察者が表示画面の正面から観察したときには、図１０（Ｂ）のような位置関係になり、表示画面の正面より右側から観察したときには、図１０（Ａ）のような位置関係になり、表示画面の正面より左側から観察したときには、図１０（Ｃ）のような位置関係になる。
【００４７】
例えば、図１０（Ａ）に示した位置関係では、観察者は、あるサブ画素２１Ｇのうちの、開状態にある開閉部１２に対応する部分Ａ１を観察する。図１０（Ｂ）に示した位置関係では、観察者は、ある２つのサブ画素２１Ｇのうちの開閉部１２に対応する部分Ａ２１，Ａ２２を観察する。また、図１０（Ｃ）に示した位置関係では、観察者は、あるサブ画素２１Ｇのうちの、開閉部１２に対応する部分Ａ３を観察する。このとき、立体表示装置１では、図５に示したように、サブ画素２１を、水平方向Ｘにおける間隔Ｓ２１がサブ画素２１の幅Ｗ２１と等しくなるように配置しているため、図１０（Ａ）における部分Ａ１の面積と、図１０（Ｂ）における部分Ａ２１，Ａ２２の合計面積と、図１０（Ｃ）における部分Ａ３の面積とを、互いに等しくすることができる。つまり、観察者が表示画面を観察する際の観察角度αによらず、観察されるサブ画素の面積をほぼ一定にすることができる。これにより、立体表示装置１では、観察角度αによらず輝度をほぼ一定にすることができるため、後述する比較例の場合とは異なり、モアレの発生を抑え、画質の低下を抑えることができる。
【００４８】
また、例えば、製造ばらつきなどにより、サブ画素２１，２２と開閉部１２との相対的な位置関係が所望の位置関係からずれ、図１０（Ａ）〜（Ｃ）の状態が表示画面内に周期的に現れる場合がある。しかしながら、このような場合であっても、立体表示装置１では、図１０（Ａ）〜（Ｃ）の状態において輝度が互いに等しくなるため、表示画面内の輝度を均一にすることができる。
【００４９】
図１１，１２は、あるサブ画素グループＰＧに係る輝度分布を模式的に表すものであり、図１１は、開閉部１２の幅Ｗ１２が広い場合を示し、図１２は、開閉部１２の幅Ｗ１２が狭い場合を示す。
【００５０】
サブ画素グループＰＧの各サブ画素（この例では２つのサブ画素２１Ｒおよび２つのサブ画素２１Ｇ）から射出した、互いに異なる４つの視点映像に係る光は、開状態になっている開閉部１２を透過してそれぞれの方向に進み、輝度分布ＩＤが生じる。これらの輝度分布ＩＤは、開閉部１２の幅Ｗ１２を反映したものとなる。すなわち、輝度分布ＩＤでは、輝度Ｉは、開閉部１２の幅Ｗ１２が広い場合（図１１）の方が、幅Ｗ１２が狭い場合（図１２）に比べて高くなる。また、互いに隣接する輝度分布ＩＤ間の重なりは、開閉部１２の幅Ｗ１１が狭い場合（図１２）の方が、幅Ｗ１１が広い場合（図１１）に比べて大きくなる。
【００５１】
各輝度分布ＩＤの和である合計輝度ＩＴは、図１１，１２に示したように、開閉部１２の幅Ｗ１２にかかわらず、観察角度αによらずほぼ一定になり、モアレの発生を抑えることができる。これは、図１０に示したように、観察角度αによらず、観察されるサブ画素の面積がほぼ一定になることと対応している。すなわち、この特性は、サブ画素２１の配置（図５）に基づくものであるため、開閉部１２の幅Ｗ１２にかかわらずに成り立つこととなる。このように、立体表示装置１では、開閉部１２の幅Ｗ１２にかかわらず、合計輝度ＩＴが観察輝度αに対して平坦な特性になるため、モアレの発生を抑えることができる。
【００５２】
隣接する輝度分布が重なっている範囲（クロストーク範囲αct）では、互いに異なる視点映像に係る光が重なるため、観察者がその範囲内の観察角度αから表示映像を観察する際、異なる視点映像が重なって表示されるいわゆるクロストークが生じてしまう。このクロストーク範囲αctは、図１１，１２に示したように、開閉部１２の幅Ｗ１２を狭くすることにより、狭くすることができる。つまり、立体表示装置１は、開閉部１２の幅Ｗ１２を狭くすることにより、後述する比較例の場合とは異なり、モアレの発生を抑えつつ、クロストークを低減することができる。
【００５３】
このように、立体表示装置１では、水平方向Ｘにおいて、サブ画素２１とサブ画素２２とを交互に配置したので、開閉部１２の幅Ｗ１２に係らず、モアレの発生を抑えることができ、設計の自由度を高くすることができる。具体的には、例えば、クロストークを低減したい場合には、開閉部１２の幅Ｗ１２を狭め、輝度Ｉを高めたい場合には、開閉部１２の幅Ｗ１２を広くすることができる。
【００５４】
次に、通常表示（２次元表示）における画質について説明する。
【００５５】
立体表示装置１は、通常表示の際には、バリア部１０の開閉部１１，１２を開状態（透過状態）にし、表示部２０のサブ画素２１，２２が２次元映像を表示する。すなわち、立体視表示の際には、表示部２０のサブ画素２１のみが視点映像の表示を行い、サブ画素２２は黒表示を行うが、通常表示では、サブ画素２１，２２の両方が映像を表示する。これにより、立体表示装置１では、サブ画素２２を設けなかった場合に比べて、通常表示の際の輝度を高めることができる。このように、立体表示装置１では、立体視表示の際には、黒表示を行っていたサブ画素２２を、通常表示において有効に利用することにより、画質を高めることができる。
【００５６】
また、立体表示装置１では、図４に示したように、サブ画素２１，２２を、サブ画素２１Ｒ，２２Ｂ，２１Ｇ，２２Ｒ，２１Ｂ，２２Ｇの順に繰り返し配置したので、水平方向Ｘにおいて、同じ色に係るサブ画素（例えばサブ画素２１Ｒ，２２Ｒ）が等間隔で均等に配置されるため、例えばサブ画素２１Ｒ，２２Ｒが隣り合うように配置した場合に比べて、ドット感の少ない滑らかな表示を行うことができる。
【００５７】
（比較例）
次に、比較例と対比として、本実施の形態に係る立体表示装置１の効果を説明する。本比較例に係る立体表示装置１Ｒは、サブ画素ＳＰixの配置が、本実施の形態の場合と異なる表示部６０Ｒを用いて、構成されたものである。その他の構成は、本実施の形態（図１等）と同様である。
【００５８】
図１３は、表示部６０Ｒにおけるサブ画素ＳＰixの配列を表すものである。表示部６０Ｒは、互いに水平方向Ｘの幅が等しいサブ画素６１（６１Ｒ，６１Ｇ，６１Ｂ）を有している。すなわち、本実施の形態に係る表示部２０では、互いに異なる幅を有する２種類のサブ画素２１，２２を有するようにしたが、本比較例に係る表示部６０Ｒでは、全てのサブ画素６１Ｒ，６１Ｇ，６１Ｂの幅は等しくなっている。そして、立体表示装置１Ｒでは、立体視表示および通常表示（２次元表示）の両方において、これらの全てのサブ画素６１Ｒ，６１Ｇ，６１Ｂが表示を行うようになっている。
【００５９】
図１４は、立体表示装置１Ｒにおける、サブ画素６１と開閉部１２との相対的な位置関係を表すものである。立体視表示の際、例えば、図１４（Ａ）に示した位置関係では、観察者は、あるサブ画素６１Ｇのうちの、開状態にある開閉部１２に対応する部分Ｒ１を観察する。図１４（Ｂ）に示した位置関係では、観察者は、ある２つのサブ画素６１Ｇのうちの開閉部１２に対応する部分Ｒ２１，Ｒ２２を観察する。また、図１４（Ｃ）に示した位置関係では、観察者は、あるサブ画素６１Ｇのうちの、開閉部１２に対応する部分Ｒ３を観察する。このとき、例えば、図１４（Ａ）における部分Ｒ１の面積や、図１４（Ｃ）における部分Ｒ３の面積は、図１４（Ｂ）における部分Ｒ２１，Ｒ２２の合計面積に比べて大きくなる。よって、この例では、図１４（Ａ），（Ｃ）の位置関係では、図１４（Ｂ）の位置関係に比べて緑色の輝度が高くなる。このように、立体表示装置１Ｒでは、観察角度αによって、輝度が変化してしまい（モアレ）、画質が低下してしまうおそれがある。
【００６０】
また、例えば、製造ばらつきなどにより、サブ画素６１と開閉部１２との相対的な位置関係が所望の位置関係からずれ、図１４（Ａ）〜（Ｃ）の状態が表示画面内に周期的に現れる場合には、図１４（Ａ）〜（Ｃ）の状態において、互いに輝度が異なることから、観察者は、表示画面において輝度の不均一性を観察するおそれがあり、画質が低下してしまう。
【００６１】
図１５，１６は、立体表示装置１Ｒにおける、あるサブ画素グループＰＧに係る輝度分布を模式的に表すものであり、図１５は、開閉部１２の幅Ｗ１２が広い場合を示し、図１６は、開閉部１２の幅Ｗ１２が狭い場合を示す。
【００６２】
各輝度分布ＩＤの和である合計輝度ＩＴは、図１５，１６に示したように、観察角度αにより変化する。これは、図１４に示したように、観察角度αにより、観察されるサブ画素６１の面積が変化するためである。特に、合計輝度ＩＴは、図１６に示したように、開閉部１２の幅Ｗ１２を狭くした場合に、観察角度αにより大きく変化してしまう。このように、立体表示装置１Ｒでは、開閉部１２の幅Ｗ１２を狭くした場合に、観察角度αにより輝度Ｉが変化し、モアレとして観察されるおそれがある。
【００６３】
なお、クロストーク範囲αctは、図１５，１６に示したように、開閉部１２の幅Ｗ１２を狭めることにより、狭くすることができる。すなわち、本実施の形態に係る立体表示装置１の場合（図１１，１２）と同様に、開閉部１２の幅Ｗ１２を狭めることにより、クロストークを低減することができる。
【００６４】
このように、比較例に係る立体表示装置１Ｒでは、例えば、開閉部１２の幅Ｗ１２を広くすると、表示画面においてモアレを低減することができるものの、クロストークが悪化してしまう。また、例えば、開閉部１２の幅Ｗ１２を狭くすると、クロストークを低減できるものの、モアレが発生してしまう。すなわち、この立体表示装置１Ｒでは、モアレとクロストークとがトレードオフの関係になっており、両方の特性を同時に改善することができない。
【００６５】
一方、本実施の形態に係る立体表示装置１では、水平方向Ｘにおいて、サブ画素２１とサブ画素２２とを交互に配置したので、開閉部１２の幅Ｗ１２に係らず、モアレの発生を抑えることができる。すなわち、立体表示装置１では、モアレとクロストークとがトレードオフの関係にならないため、開閉部１２の幅Ｗ１２を狭めることにより、モアレの発生を抑えつつ、クロストークを低減することができる。
【００６６】
［効果］
以上のように本実施の形態では、サブ画素２１に加えてサブ画素２２を設けたので、通常表示（２次元表示）における輝度を高くすることができ、画質を高めることができる。
【００６７】
また、本実施の形態では、水平方向におけるサブ画素２１の間隔を、サブ画素２１自体の幅と等しくしたので、立体視表示の際、モアレの発生を抑えることができるとともに、設計の自由度を高めることができる。具体的には、例えば、開閉部１２の幅を狭めた場合には、モアレの発生を抑えつつ、クロストークを低減することができる。
【００６８】
［変形例１−１］
上記実施の形態では、水平方向Ｘにおけるサブ画素２１の間隔Ｓ２１を、サブ画素２１自体の幅Ｗ２１と等しくしたが、これに限定されるものではない。以下に、その詳細を説明する。
【００６９】
図１７は、本変形例に係る表示部２０Ａにおけるサブ画素２１の配置を表すものであり、（Ａ）は、サブ画素２１の間隔Ｓ２１が幅Ｗ２１よりも小さい場合を示し、（Ｂ）は、サブ画素２１の間隔Ｓ２１が幅Ｗ２１よりも大きい場合を示す。サブ画素２１を図１７に示したように配置した場合には、上記実施の形態の場合（図１０）とは異なり、観察者が表示画面を観察する際の観察角度αによって、観察されるサブ画素の面積がやや変化する。これにより、例えば、開閉部１２の幅Ｗ１２が狭いほど、クロストークは低減できるものの、モアレが発生するおそれがある。すなわち、本変形例では、上述した比較例ほどではないものの、クロストークとモアレとの間にトレードオフの関係が生じてしまう。よって、本変形例では、クロストークおよびモアレによる画質の低下の影響がない範囲で、サブ画素２１の間隔Ｓ２１および幅Ｗ２１、ならびに開閉部１２の幅Ｗ１２を設定する必要がある。
【００７０】
以下に、観察者が画質の低下を感じないような、クロストークおよびモアレの量について説明する。まず、クロストークの許容量について説明する。
【００７１】
図１８は、隣接する複数のサブ画素２１の輝度分布を表すものである。あるサブ画素２１からの光を主に観察することができる観察角度範囲Ｒαの両端付近では、そのサブ画素２１に隣接するサブ画素２１からの光も観測される。具体的には、例えば、観察角度α１では、所望のサブ画素２１からの輝度Ｉ１の光に加え、隣接するサブ画素２１からの輝度Ｉ２の光も観察される。このとき、クロストーク量ＣＴは、次式で表される。
ＣＴ＝Ｉ２／Ｉ１×１００ ・・・（１）
すなわち、クロストーク量ＣＴは、隣接するサブ画素２１からの影響が大きいほど（クロストークが大きいほど）、その値が大きくなるものである。クロストークによる画質の低下の感じ方には個人差があり、また表示する映像のコンテンツによっても異なるが、クロストーク量ＣＴは、概ね１０％以下であることが望ましい。
【００７２】
次にモアレの許容量について説明する。サブ画素２１を図１７のように配置した場合には、観察者が表示画面を観察する際の観察角度αによって、観察されるサブ画素の面積が変化するため、観察角度αによって輝度Ｉが変化する。具体的には、例えば、ある観察角度αでは、輝度Ｉが最大になり（輝度Ｉ３）、他の観察角度αでは、輝度Ｉが最小になる（輝度Ｉ４）。このとき、モアレ量ＭＯは、次式で表される。
ＭＯ＝（１−Ｉ４／Ｉ３）×１００ ・・・（２）
すなわち、モアレ量ＭＯは、観察角度αによる輝度Ｉの差が大きいほど、その値が大きくなるものである。モアレによる画質の低下の感じ方にも個人差があるが、モアレ量ＭＯは、概ね３０％以下であることが望ましい。
【００７３】
よって、図１７に示したようにサブ画素２１を配置する場合には、例えば、クロストーク量ＣＴが１０％以下になり、かつ、モアレ量ＭＯが３０％以下になるように配置することが望ましい。
【００７４】
［変形例１−２］
上記実施の形態では、立体視表示の際、サブ画素２２が黒色を表示するようにしたが、これに限定されるものではなく、これに代えて、例えば灰色を表示してもよい。これにより、サブ画素２２が黒表示を行う場合に比べて、立体視表示の際の表示画面の輝度を高めることができる。
【００７５】
さらに、この場合には、クロストーク量ＣＴも低減することができる。サブ画素２２が灰色を表示する場合には、クロストーク量ＣＴは、次式で表される。
ＣＴ＝Ｉ２／（Ｉ１＋ＩＧ）×１００ ・・・（３）
ここで、ＩＧは灰色表示の輝度である。このように、サブ画素２２が灰色表示を行うことにより、クロストーク量ＣＴは低下するため、観察者がクロストークによる画質の低下を感じるおそれを低減することができる。この場合でも、例えば、このクロストーク量ＣＴが１０％以下になるように、灰色表示の輝度ＩＧを設定することができる。
【００７６】
［変形例１−３］
上記実施の形態では、開閉部１１，１２を垂直方向Ｙに延在するように設けたが、これに限定されるものではなく、これに代えて、例えば、図１９（Ａ）に示したバリア部７０Ａのように、開閉部７１Ａ，７２Ａをステップ状に設けてもいいし、図１９（Ｂ）に示したバリア部７０Ｂのように、開閉部７１Ｂ，７２Ｂを斜め方向に延在するように設けても良い。
【００７７】
図２０は、図１９（Ａ）に示したバリア部７０Ａを用いた場合における、サブ画素２１と開閉部７２Ａとの位置関係を表すものである。なお、この図では、サブ画素２２および開閉部７２Ｂの図示を省略している。これらの開閉部７２Ａには、同じ制御信号が供給され、同時に開閉動作を行う。開閉部７２Ａは、水平方向Ｘにおいて４つのサブ画素２１に１つの割合で設けられている。これは、本変形例に係る立体表示装置が、立体視表示を行う際、４つの視点映像を表示することと対応している。
【００７８】
［変形例１−４］
上記実施の形態では、サブ画素２１，２２は、垂直方向Ｙに延伸するように形成したが、これに限定されるものではなく、これに代えて、例えば水平方向Ｘに延伸するように形成してもよい。以下にその詳細について説明する。
【００７９】
図２１は、本変形例に係る表示部８０におけるサブ画素ＳＰixの配列を表すものである。表示部８０は、水平方向Ｘに延伸するとともに、この水平方向Ｘの幅が互いに異なる２種類のサブ画素ＳＰix（８１，８２）を有している。具体的には、表示部８０は、水平方向Ｘに広い幅（幅Ｗ８１）を有するサブ画素８１（８１Ｒ，８１Ｇ，８１Ｂ）と、水平方向Ｘに狭い幅（幅Ｗ８２）を有するサブ画素８２（８２Ｒ，８２Ｇ，８２Ｂ）を有している。サブ画素８１およびサブ画素８２は、水平方向Ｘおよび垂直方向Ｙの両方において交互に配置されている。具体的には、この例では、垂直方向Ｙにおいて、サブ画素８１Ｒ，８２Ｇ，８１Ｂ，８２Ｒ，８１Ｇ，８２Ｂが、この順で繰り返し配置されている。その際、垂直方向Ｙに互いに隣接するサブ画素８１およびサブ画素８２の水平方向Ｘにおける中心座標は、互いに一致するようになっている。また、水平方向Ｘにおいて、サブ画素８１Ｒ，８２Ｒが交互に配置され、サブ画素８１Ｇ，８２Ｇが交互に配置され、サブ画素８１Ｂ，８２Ｂが交互に配置されている。表示部８０では、水平方向Ｘに隣り合うサブ画素８１の間隔Ｓ８１は、サブ画素８１自体の幅Ｗ８１と等しくなっている。この構成により、本変形例に係る表示装置では、立体視表示を行う場合には、サブ画素８１が４つの視点映像を表示するとともに、サブ画素８２が黒色を表示する。また、通常表示（２次元表示）を行う場合には、サブ画素８１およびサブ画素８２の両方が２次元映像を表示する。
【００８０】
図２２は、表示部８０におけるサブ画素８１と、バリア部１０における開閉部１２との位置関係を表すものである。なお、この図では、開閉部１１およびサブ画素８２の図示を省略している。開閉部１２は、隣接する２行内の４つのサブ画素８１（サブ画素グループＰＧ）に１つの割合で設けられている。これは、本変形例に係る立体表示装置が、立体視表示を行う際、４つの視点映像を表示することと対応している。
【００８１】
［変形例１−５］
上記実施の形態では、立体視表示を行う場合において、開閉部１２を常に開状態にしたが、これに限定されるものではなく、これに代えて、例えば、開閉部１２を複数のグループにグループ分けして、グループ間で時分割的に開閉駆動するようにしてもよい。以下に、その詳細を説明する。
【００８２】
図２３は、開閉部１２のグループ構成例を表すものである。この例では、開閉部１２は、２つのグループＡ，Ｂにグループ分けされ、グループＡに属する開閉部１２と、グループＢに属する開閉部１２とが、開閉部１１を挟んで交互に配置されている。なお、以下では、グループＡに属する開閉部１２の総称として開閉部１２Ａを適宜用い、同様に、グループＢに属する開閉部１２の総称として開閉部１２Ｂを適宜用いるものとする。
【００８３】
図２４は、立体視表示を行う場合における本変形例に係る立体表示装置１Ｅの動作例を表すものであり、（Ａ）は第１の状態を示し、（Ｂ）は第２の状態を示す。立体表示装置１Ｅは、これらの第１の状態と第２の状態との間で交互に切り換えて動作を行う。
【００８４】
第１の状態では、図２４（Ａ）に示したように、表示部２０のサブ画素２１のそれぞれは、４つの視点映像のそれぞれに対応する画素情報Ｐ１〜Ｐ４を表示する。このとき、画素情報Ｐ１〜Ｐ４は、開閉部１２Ａ付近に配置されたサブ画素２１にそれぞれ表示される。バリア部１０では、開閉部１２Ａが開状態（透過状態）になるとともに、開閉部１２Ｂが閉状態になる。そして、表示部２０の各サブ画素２１から出た光は、開閉部１２Ａによりそれぞれ角度が制限されて出力される。これにより、観察者は、例えば左眼で画素情報Ｐ２を、右眼で画素情報Ｐ３を見ることにより、立体的な映像を見ることができる。
【００８５】
第２の状態では、図２４（Ｂ）に示したように、表示部２０のサブ画素２１のそれぞれは、４つの視点映像のそれぞれに対応する画素情報Ｐ１〜Ｐ４を表示する。このとき、画素情報Ｐ１〜Ｐ４は、開閉部１２Ｂ付近に配置されたサブ画素２１にそれぞれ表示される。バリア部１０では、開閉部１２Ｂが開状態（透過状態）になるとともに、開閉部１２Ａが閉状態になる。そして、表示部２０の各サブ画素２１から出た光は、開閉部１２Ｂによりそれぞれ角度が制限されて出力される。これにより、観察者は、例えば左眼で画素情報Ｐ２を、右眼で画素情報Ｐ３を見ることにより、立体的な映像を見ることができる。
【００８６】
このように、開閉部１２Ａと開閉部１２Ｂを時分割的に交互に開閉して映像を表示することにより、観察者は、互いにずれた位置に表示される映像を平均化して見ることとなる。よって、立体表示装置１Ｅは、上記実施の形態に係る立体表示装置１の場合に比べ、２倍の解像度を実現することが可能となる。
【００８７】
［変形例１−６］
上記実施の形態では、バックライト３０、表示部２０、バリア部１０は、この順に配置したが、これに限定されるものではなく、これに代えて、図２５に示したように、バックライト３０、バリア部１０、表示部２０の順に配置してもよい。図２６は、本変形例に係る表示部２０およびバリア部１０の動作例を表すものである。本変形例では、バックライト３０から射出した光は、まずバリア部１０に入射する。そして、その光のうち、開閉部１２を透過した光が表示部２０において変調されるとともに、４つの視点映像を出力するようになっている。
【００８８】
［変形例１−７］
上記実施の形態では、表示部２０およびバックライト３０を用いたが、これに限定されるものではなく、これに代えて、例えば、ＥＬ（Electro Luminescence）などの表示部を用いてもよい。
【００８９】
［変形例１−８］
上記実施の形態では、水平方向Ｘにおいて、サブ画素２１Ｒ，２２Ｂ，２１Ｇ，２２Ｒ，２１Ｂ，２２Ｇの順に繰り返し配置したが、これに限定されるものではなく、これに代えて、例えば、図２７に示したように、サブ画素２１Ｒ，２２Ｇ，２１Ｇ，２２Ｂ，２１Ｂ，２２Ｒの順に繰り返し配置してもよいし、図２８に示したように、行ごとにサブ画素２１，２２の配列を変更してもよい。
【００９０】
また、図２９に示したように、例えば、サブ画素２１Ｒ，２１Ｇ，２１Ｂを、互いに近い位置に配置し、同様に、サブ画素２２Ｒ，２２Ｇ，２２Ｂを、互いに近い位置に配置してもよい。この例では、例えばサブ画素２１Ｒ，２１Ｇを１つのサブ画素２２を挟んで水平方向Ｘに互いに隣り合うように配置し、サブ画素２１Ｂを、その挟まれたサブ画素２２と垂直方向Ｙに隣接するように配置している。同様に、例えばサブ画素２２Ｒ，２２Ｇを１つのサブ画素２１を挟んで水平方向Ｘに互いに隣り合うように配置し、サブ画素２２Ｂを、その挟まれたサブ画素２１と垂直方向Ｙに隣接するように配置している。このようにすることにより、通常表示（２次元表示）の際の色のバランスを改善することができる。
【００９１】
［変形例１−９］
上記実施の形態では、光の透過率を変化させることができる開閉部１１，１２を用いてバリア部１０を構成したが、これに代えて、例えば、開閉部１１に対応する部分の光を遮断し、開閉部１２に対応する部分が開口して光を透過する、固定のバリアを用いてバリア部を構成してもよい。この場合でも、立体視表示の際には、上記実施の形態の場合（図９等）と同様に表示を行うことができる。また、通常表示（２次元表示）の際には、例えば、開口部付近に配置された４つのサブ画素２１（サブ画素グループＰＧ）および４つのサブ画素２２が、一つの画素情報を表示することにより、２次元画像を表示することができる。
【００９２】
［変形例１−１０］
上記実施の形態では、パララックスバリア方式の立体表示装置を構成したが、これに限定されるものではなく、これに代えて、例えばレンチキュラーレンズ方式の立体表示装置を構成してもよい。以下にその詳細を説明する。
【００９３】
図３０は、レンチキュラーレンズ方式の立体表示装置９における立体視表示の動作例を表すものである。立体表示装置９は、バックライト３０から射出し表示部２０を透過した光を屈折させる複数のレンズ９９を有するレンズ部９０を備えている。立体視表示を行う場合には、表示部２０では、各レンズ９９に対応する部分に配置された４つのサブ画素２１（サブ画素グループＰＧ）が、４つの視点映像に対応する画素情報Ｐ１〜Ｐ４をそれぞれ表示する。そして、表示部２０の各サブ画素２１から出た光は、レンズ９９により屈折され、それぞれの方向に向かって出力される。
【００９４】
なお、レンズ９９は、成形され、屈折率が固定されたレンズであってもよいし、例えば、液晶レンズや液体レンズのように、屈折率などの特性を可変に構成したものであってもよい。
【００９５】
＜２．適用例＞
次に、上記実施の形態および変形例で説明した立体表示装置の適用例について説明する。
【００９６】
図３１は、上記実施の形態等の立体表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る立体表示装置により構成されている。
【００９７】
上記実施の形態等の立体表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の立体表示装置は、映像を表示するあらゆる分野の電子機器に適用することが可能である。
【００９８】
以上、いくつかの変形例を挙げて本技術を説明したが、本技術はこれらの実施の形態等には限定されず、種々の変形が可能である。
【００９９】
上記実施の形態では、立体視表示において４つの視点映像を表示するようにしたが、これに限定されるものではなく、３つ以下の視点映像や、５つ以上の視点映像を表示してもよい。
【０１００】
また、上記実施の形態では、立体表示装置を例に本技術を説明したが、これに限定されるものではなく、例えば、本技術をマルチディスプレイに適用することも可能である。すなわち、複数の視点映像の代わりに、複数の観察者のための映像を表示し、例えば、表示画面の正面より左側から観察する映像と、表示画面の正面より右側から観察する映像が異なるようにすることにより、マルチディスプレイを実現することができる。
【０１０１】
なお、本技術は以下のような構成とすることができる。
【０１０２】
（１）第１の水平画素幅を有する第１系列の画素と、前記第１の水平画素幅よりも狭い第２の水平画素幅を有する第２系列の画素とを、水平方向および垂直方向のそれぞれにおいて交互に配列してなる表示部と、
前記表示部からの光線または前記表示部に向かう光線に対して制御を行う光線制御部と
を備えた
表示装置。
【０１０３】
（２）第１の表示モードおよび第２の表示モードを含む複数の表示モードを有し、
前記第１の表示モードでは、前記第１系列の画素および前記第２系列の画素が単一の画像を表示し、
前記第２の表示モードでは、前記第１系列の画素が複数の画像を表示し、前記第２系列の画素が黒色を表示する
前記（１）に記載の表示装置。
【０１０４】
（３）前記第１系列の画素の水平方向における間隔は、前記第１の水平画素幅と等しい
前記（２）に記載の表示装置。
【０１０５】
（４）前記第１系列の画素の水平方向における間隔は、前記第１の水平画素幅よりも狭い
前記（２）に記載の表示装置。
【０１０６】
（５）前記第１系列の画素の水平方向における間隔は、前記第１の水平画素幅よりも広い
前記（２）に記載の表示装置。
【０１０７】
（６）各第１系列の画素の水平方向における中心座標は、その第１系列の画素と垂直方向に隣接する第２系列の画素の水平方向における中心座標と等しい
前記（３）から（５）のいずれかに記載の表示装置。
【０１０８】
（７）第１の表示モードおよび第２の表示モードを含む複数の表示モードを有し、
前記第１の表示モードでは、前記第１系列の画素および前記第２系列の画素が単一の画像を表示し、
前記第２の表示モードでは、前記第１系列の画素が複数の画像を表示し、前記第２系列の画素が灰色を表示する
前記（１）に記載の表示装置。
【０１０９】
（８）前記光線制御部は、
前記第１の表示モードでは、前記単一の画像からの光線または前記単一の画像に向かう光線をそのまま透過させるように動作し、
前記第２の表示モードでは、前記表示部に表示された各画像からの光線または各画像に向かう光線を、それぞれ対応する角度方向に規制するように動作する
前記（２）から（７）のいずれかに記載の表示装置。
【０１１０】
（９）前記光線制御部は、光を透過または遮断するバリア部であり、
前記バリア部は、開状態と閉状態とを切り換え可能な、複数の第１系列の液晶バリアおよび複数の第２系列の液晶バリアを有する
前記（１）から（８）のいずれかに記載の表示装置。
【０１１１】
（１０）前記第１の表示モードでは、前記複数の第１系列の液晶バリアおよび前記複数の第２系列の液晶バリアが透過状態になり、
前記第２の表示モードでは、前記複数の第１系列の液晶バリアが透過状態になるとともに、前記複数の第２系列の液晶バリアが遮断状態になる
前記（９）に記載の表示装置。
【０１１２】
（１１）前記複数の第１系列の液晶バリアおよび前記複数の第２系列の液晶バリアは、所定の方向に延伸している
前記（１０）に記載の表示装置。
【０１１３】
（１２）前記第１系列の液晶バリアの幅は、前記第１の水平画素幅よりも狭い
前記（１１）に記載の表示装置。
【０１１４】
（１３）前記光線制御部は、光を透過または遮断するバリア部であり、
前記バリア部は、複数の固定された開口部を有する
前記（１）から（８）のいずれかに記載の表示装置。
【０１１５】
（１４）前記光線制御部は、屈折率を切り換え可能な、複数の可変レンズを有する
前記（１）から（８）のいずれかに記載の表示装置。
【０１１６】
（１５）前記光線制御部は、複数の固定されたレンズを有する
前記（１）から（８）のいずれかに記載の表示装置。
【０１１７】
（１６）バックライトをさらに備え、
前記表示部は液晶表示部であり、
前記液晶表示部は、前記バックライトと前記バリア部との間に配置されている
前記（１）から（１５）のいずれかに記載の表示装置。
【０１１８】
（１７）バックライトをさらに備え、
前記表示部は液晶表示部であり、
前記バリア部は、前記バックライトと前記液晶表示部との間に配置されている
前記（１）から（１５）のいずれかに記載の表示装置。
【０１１９】
（１８）第１の水平画素幅を有する第１系列の画素と、
前記第１の水平画素幅よりも狭い第２の水平画素幅を有する第２系列の画素と
を備え、
前記第１系列の画素および前記第２系列の画素は、水平方向および垂直方向のそれぞれにおいて交互に配列された
表示パネル。
【０１２０】
（１９）表示装置と、
前記表示装置を利用した動作制御を行う制御部と
を備え、
前記表示装置は、
第１の水平画素幅を有する第１系列の画素と、前記第１の水平画素幅よりも狭い第２の水平画素幅を有する第２系列の画素とを、水平方向および垂直方向のそれぞれにおいて交互に配列してなる表示部と
前記表示部からの光線または前記表示部に向かう光線に対して制御を行う光線制御部と
を有する
電子機器。
【符号の説明】
【０１２１】
１，９…立体表示装置、１０，７０Ａ，７０Ｂ…バリア部、１１，１２，１２Ａ，１２Ｂ，７１Ａ，７２Ａ，７１Ｂ，７２Ｂ…開閉部、２０…表示部、２１（２１Ｒ，２１Ｇ，２１Ｂ），２２（２２Ｒ，２２Ｇ，２２Ｂ），８１（８１Ｒ，８１Ｇ，８１Ｂ），８２（８２Ｒ，８２Ｇ，８２Ｂ）…サブ画素、３０…バックライト、４１…制御部、４２…バックライト駆動部、４３…バリア駆動部、５０…表示駆動部、５１…タイミング制御部、５２…ゲートドライバ、５３…データドライバ、９０…レンズ部、９９…レンズ、１０１…透明基板、１０２…透明電極層、１０３…液晶層、１０４…透明電極層、１０５…透明電極、１０６ａ，１０６ｂ…偏光板、１０７…駆動基板、１０８…対向基板、１１０，１２０…透明電極、２０１…透明基板、２０２…画素電極、２０３…液晶層、２０４…対向電極、２０５…透明電極、２０６ａ，２０６ｂ…偏光板、２０７…駆動基板、２０８…対向基板、Ａ，Ｂ…グループ、Ａ１，Ａ２１，Ａ２２，Ａ３…部分、Ｃｓ…保持容量素子、ＣＳＬ…保持容量線、ＤＲ，ＤＧ，ＤＢ…輝度分布、ＧＣＬ…ゲート線、Ｉ…輝度、ＬＣ…液晶素子、Ｐ１〜Ｐ４…画素情報、ＰＧ…サブ画素グループ、Ｐix…画素、Ｓ２１，Ｓ８１…間隔、Ｓdisp，Ｓdisp2…映像信号、ＳＧＬ…データ線、ＳＰix…サブ画素、Ｔｒ…ＴＦＴ素子、Ｗ２１，Ｗ８１…幅，α…観察角度。
【図１】
2015084110.tif 000003
【図２】
2015084110.tif 000004
【図３】
2015084110.tif 000005
【図４】
2015084110.tif 000006
【図５】
2015084110.tif 000007
【図６】
2015084110.tif 000008
【図７】
2015084110.tif 000009
【図８】
2015084110.tif 000010
【図９】
2015084110.tif 000011
【図１０】
2015084110.tif 000012
【図１１】
2015084110.tif 000013
【図１２】
2015084110.tif 000014
【図１３】
2015084110.tif 000015
【図１４】
2015084110.tif 000016
【図１５】
2015084110.tif 000017
【図１６】
2015084110.tif 000018
【図１７】
2015084110.tif 000019
【図１８】
2015084110.tif 000020
【図１９】
2015084110.tif 000021
【図２０】
2015084110.tif 000022
【図２１】
2015084110.tif 000023
【図２２】
2015084110.tif 000024
【図２３】
2015084110.tif 000025
【図２４】
2015084110.tif 000026
【図２５】
2015084110.tif 000027
【図２６】
2015084110.tif 000028
【図２７】
2015084110.tif 000029
【図２８】
2015084110.tif 000030
【図２９】
2015084110.tif 000031
【図３０】
2015084110.tif 000032
【図３１】
2015084110.tif 000033